(57)【要約】【課題】  汗を吸収する性質と、汗を発散させる性質が共に優れていて衣類に用いるとべたつくことがなく、着用感が快適で吸汗速乾性が半永久的に維持できる。特にスポーツウエアー、インナーに最適である。    【解決手段】表面組織層２と裏面組織層３からなる二重編の吸汗速乾性丸編地１である。表面組織層２を構成するポリエステル原糸２aにスリット４を刻設してある。そのポリエステル原糸は異形断面形状に形成されている。裏面組織層３を構成する原糸はポリオレフィン仮撚糸３aで構成されている。  【選択図】図１
2005068602.tif 000002
【特許請求の範囲】
【請求項１】
表面組織層と裏面組織層からなる二重編生地であって、前記の表面組織層は原糸に繊細なスリットがランダムに刻設されていると共に、異形断面形状の吸汗速乾性のポリエステル原糸で構成され、前記の裏面組織層はポリオレフィン仮撚糸で構成されていることを特徴とする吸汗速乾性丸編地。  
【請求項２】
吸汗速乾性のポリエステル原糸が中空糸である請求項１に記載の吸汗速乾性丸編地。
【請求項３】
ポリオレフィン仮撚糸がポリプロピレン仮撚糸またはポリエチレン仮撚糸である請求項１に記載の吸汗速乾性丸編地。
【発明の詳細な説明】
【技術分野】
【０００１】
本発明は、衣類に使用した時に、汗をよく吸収するだけでなく、吸収した汗を速く乾燥させる性質（以下、吸汗速乾性と称する。）を持ち、着用感が快適なスポーツ用、インナー用衣類などに適する吸汗速乾性丸編地に関するものである。
【背景技術】
【０００２】
近年、健康の維持、増進を図るため、手軽にできるウオーキングやジョキングあるいは軽い運動のレジャー・スポーツや競技スポーツなどを楽しむ人が急増しており、その時に着用する衣類としては、汗をよく吸収し、吸収した汗を速く乾燥させる吸汗速乾性繊維素材の開発が要求されている。
【０００３】
従来の吸収性丸編地としては、布帛の一方の面をポリエステルなどの合成繊維で形成し、他方の面を綿の紡績糸などの親水性繊維で形成し、親水性繊維を肌側に使用することにより吸湿性、吸水性を向上させて蒸れ感、べとつき感を防止するのと同時に合成繊維の毛細管現象を利用して水の拡散性を増して速乾性を向上させたものがある。（例えば、特許文献１）また、多層構造布の裏面および中層にセルロースマルチフィラメントを配し、表面に供給された水分を裏面または中層で保持するものが提案されている。（例えば、特許文献２）
【特許文献１】特開平４−３７０２５１号公報
【特許文献２】特開平１０−２５６４３号公報
【発明の開示】
【発明が解決しようとする課題】
【０００４】
しかしながら、前記特許文献１は、綿などの紡績糸は短繊維部分が嵩高で多くの空隙を持っており、この空隙に水が貯えられると同時に、短繊維のため導水する繊維が寸断されるので、水が連続相を形成しがたく、そのため水の拡散が大きく妨げられるものであった。従って、局部的に水を保持してしまうことによって乾燥性に乏しく、そのために肌面側においていつまでもじとじとした濡れた感じや蒸れ感を与えるものであった。
【０００５】
また、前記特許文献２は、乾燥性・水の濡れ戻り防止に効果を持つものの、直接肌に接触する表面の繊維に吸湿性がないため汗の吸収が遅く、べとつきの面で十分なものではなかった。
【０００６】
本発明は上記の問題点を解決することを課題として開発されたもので、汗を吸収する性質と汗を発散する性質が共に優れていて衣類に使用すると、着用感が快適で吸汗速乾性が半永久的に維持でき、特にスポーツ用、インナー用衣類に適するばかりでなく、各種の衣類にも汎用性の持つ吸汗速乾性丸編地を提供することを目的とするものである。
【課題を解決するための手段】
【０００７】
上記の課題を解決し、その目的を達成する手段として、本発明は、表面組織層と裏面組織層からなる二重編生地であって、前記の表面組織層は原糸に繊細なスリットがランダムに刻設されていると共に、異形断面形状の吸汗速乾性のポリエステル原糸で構成され、前記の裏面組織はポリオレフィン仮撚糸で構成されていることを特徴とする吸汗速乾性丸編地を開発し、採用した。
【０００８】
また、上記のように構成した吸汗速乾性丸編地において、吸汗速乾性のポリエステル原糸が中空糸である吸汗速乾性丸編地、およびポレオレフィン仮撚糸がポリプロピレン仮撚糸またはポリエチレン仮撚糸である吸汗速乾性丸編地を開発し、採用した。
【発明の効果】
【０００９】
本発明の吸汗速乾性丸編地は、発汗の多い運動をしても、汗をよく吸収すると共に吸収した汗を速く乾燥させることができ、べとつき感やまとわりつき感がなく、さらさらとした表面になり、冷え感もなくなることから、スポーツウエアー、インナーなど各種衣類に用いると快適な着用感が得られる。また、本発明の吸汗速乾性丸編地は、丸編地の構造および原糸特性に基づいて吸汗速乾性が発現されるのでその効果が半永久的である。
【発明を実施するための最良の形態】
【００１０】
以下に、本発明の実施の形態を添付図面に基づいて説明すれば、吸汗速乾性丸編地１は図１に示すように、表面組織層２と裏面組織層３からなる二重編に編成されている。表面組織層２は異形断面形状の吸汗速乾性ポリエステル原糸２ａで構成され、裏面組織層３はポリオレフィン仮撚糸３ａで構成されている。
【００１１】
上記の吸汗速乾性ポリエステル原糸２ａは、溶融状態のポリエステル紡糸液を異形紡糸に紡糸して製造できる。また、上記の吸汗速乾性ポリエステル原糸２ａの側面には微細なスリット４が多数ランダムに刻設されている。このスリット４によって、毛細管現象が起き皮膚から発散された汗を吸汗速乾性丸編地１に迅速に吸収するようになる。吸汗速乾性ポリエステル原糸２ａは、図４Ｂに示すように中空部５の有する中空糸形態のものでもよい。
【００１２】
一方、裏面組織層３は疎水性のポリオレフィン仮撚糸３ａで構成されている。ポリオレフィン仮撚糸３ａとしては、ポリエチレン仮撚糸またはポリプロピレン仮撚糸を使用することができる。これらの水分吸収率は０．０５（標準状態水分率）で疎水性である。これに対して、表面組織層２に使用されるポリエステル原糸２ａは水分吸収率が０．４（標準状態水分率）でポリオレフィン仮撚糸３ａに比べ相対的に親水性を持つている。
【００１３】
その結果、本発明の吸汗速乾性丸編地１は皮膚から汗が発散されると、皮膚と接触している裏面組織層３の疎水性ポリオレフィン仮撚糸３ａが汗を外に押し出し、表面組織層２のポリエステル原糸２ａが汗を吸い込み、迅速に吸収する。さらに、表面組織層２のポリエステル原糸２ａの側面に刻設されたスリット４により毛細管現象を起こし、より早く汗を吸収する。このように裏面組織層３と表面組織層２との有機的な相互作用で吸汗速乾丸編地１はより迅速に汗を吸収するようになる。
【００１４】
一方、表面組織層２を構成するポリエステル原糸２aは、図４Ａで示すように、異形断面形状に形成されてあるから、大気との接触表面積が原形に比べて広くなり、その結果、表面組織層２中に吸収された汗は迅速に外部に発散される。
【００１５】
本発明の吸汗速乾性丸編地１の編成は、両面丸編機を使用して通常の方法により編成される。編成時に皮膚と接触する面、すなわち裏面組織層３を編成するシリンダーの針またはダイアル針には先に説明したポリオレフィン仮撚糸３aを供給し、表面組織層２には吸汗速乾性ポリエステル原糸２aを供給する。
【００１６】
本発明において、吸汗速乾性丸編地１の吸汗性および乾燥性は次のような方法で評価した。
・吸汗速度（ｍｍ/１０分）
バイレック法（吸い上げ法）
具体的には横および縦が各２．５ｃｍの一定の長さの丸編地試料の先端を水中に１０分間浸した後、水が丸編地試料に沿って上がってきた高さを測定する。
・乾燥速度（分）
標準状態で丸編地試料に試料の重さと同じ（１００重量％）量の水を浸した後、丸編地試料が完全に乾燥するのにかかる時間を測定する。
【実施例１】
【００１７】
以下、実施例および比較例を通して本発明を詳しく説明する。
１８ゲージ、ダイアル４レースの両面丸編機に表面組織層２の原糸２aが異形断面形状で、側面にスリット４が刻設されている吸汗速乾性ポリエステル原糸２aを給糸し、裏面組織層３の原糸３aでポリプロピレン仮撚糸３aを給糸し、二重編の吸汗速乾性丸編地１を編成した。編成された吸汗速乾性丸編地１の吸湿特性を評価した結果は表１の通りである。
【実施例２】
【００１８】
中空部５を持つ吸汗速乾性ポリエステル原糸２aを表面組織層２の原糸として使用したものを除いては実施例１と同じ条件および工程で二重編の吸汗速乾性丸編地１を編成した。編成された吸汗速乾性丸編地１の吸湿特性を評価した結果は表１の通りである。
(比較例１)
【００１９】
１８ゲージ、ダイアル４レースの両面丸編機に表面組織層の原糸で正規ポリエステル原糸を給糸し、裏面組織層の原糸で綿糸を給糸し二重編の丸編地を編成した。編成された丸編地の吸湿特性を評価した結果は表１の通りである。
(比較例２)
【００２０】
１８ゲージ、ダイアル４レースの両面丸編機に表面組織層の原糸で異形断面形状で側面にスリットが形成されている吸汗速乾性ポリエステル原糸を給糸し、裏面組織層原糸で綿糸を給糸し、二重編の丸編地を編成する。編成された丸編地の吸湿特性を評価した結果は表１の通りである。
(比較例３)
【００２１】
１８ゲージ、ダイアル４レースの両面丸編機に表面組織層の原糸でポリオレフィン仮撚糸を給糸し、裏面組織層の原糸で綿糸を給糸し、二重編の丸編地を編成した。編成された丸編地の吸湿特性を評価した結果は表１の通りである。
【００２２】
丸編地吸湿特性評価結果
【表１】
2005068602.tif 000003
【産業上の利用可能性】
【００２３】
衣類の中でも汗に対する着心地が要求される衣服、トレーニングウエアー、ランニングシャツ、ユニフォーム、スポーツウエアーなどの衣類に限るものではなく、インナー、肌着、Ｔシャツなどの生地としても利用できる。
【図面の簡単な説明】
【００２４】
【図１】本発明による吸汗速乾性丸編地の簡略斜視図である。
【図２】二重編組織図である。
【図３】表面組織層の原糸の側面図である。
【図４Ａ】表面組織層の原糸の断面図である。
【図４Ｂ】表面組織層の別の原糸の断面図である。
【符号の説明】
【００２５】
１    吸汗速乾性丸編生地
２    表面組織層
２a   ポリエステル原糸
３    裏面組織層
３a   ポリオレフィン仮撚糸
４    スリット
５    中空部
【図１】
2005068602.tif 000004
【図２】
2005068602.tif 000005
【図３】
2005068602.tif 000006
【図４Ａ】
2005068602.tif 000007
【図４Ｂ】
2005068602.tif 000008